(57)【特許請求の範囲】
【請求項１】
上吊り引戸からなる第一の扉体とドアまたは上吊り引戸からなる第二の扉体とが閉止状態において平面視略Ｌ字形に設けられるＬ型建具において、閉止状態において第一の扉体と第二の扉体の先端部同士の間の隙間を隠蔽する隙間隠し手段が設けられ、該隙間隠し手段は、第二の扉体の、閉止状態において第一の扉体の先端部内側面から離れた位置または略当接する位置に、上下に延長して設けられる長尺の隙間隠し部材であることを特徴とするＬ型建具。
【請求項２】
上吊り引戸からなる第一の扉体とドアからなる第二の扉体とが閉止状態において平面視略Ｌ字形に設けられるＬ型建具において、閉止状態において第一の扉体と第二の扉体の先端部同士の間の隙間を隠蔽する隙間隠し手段が設けられ、該隙間隠し手段は、第二の扉体の、閉止状態において第一の扉体の先端部内側面に略当接する位置に設けられる隙間隠し部材であり、第一の扉体が閉じ位置にあるときに第二の扉体の開閉を許容するために、該隙間隠し部材の第一の扉体の先端部内側面に略当接する側の側面が曲面状に形成されることを特徴とするＬ型建具。
【請求項３】
上吊り引戸からなる第一の扉体とドアまたは上吊り引戸からなる第二の扉体とが閉止状態において平面視略Ｌ字形に設けられるＬ型建具において、閉止状態において第一の扉体と第二の扉体の先端部同士の間の隙間を隠蔽する隙間隠し手段が設けられ、該隙間隠し手段は、第二の扉体の先端部に取り付けられる内側面に凹部を有する隙間隠し部材であり、閉止状態において第一の扉体の先端部が該凹部内に嵌合されることを特徴とするＬ型建具。
【発明の詳細な説明】
【技術分野】
【０００１】
本発明は、上吊り引戸からなる第一の扉体とドアまたは上吊り引戸からなる第二の扉体とが閉止状態において平面視略Ｌ字形に設けられるＬ型建具に関する。
【背景技術】
【０００２】
Ｌ型建具は、たとえば高齢者用施設において個室内のトイレブースなどを区画するために採用されており、通常使用時は第二の扉体を閉めたまま第一の扉体を開くことでブース内外への出入りを可能にするが、車椅子使用時や介助者による介助が必要な場合は、第一の扉体と共に第二の扉体も開くことにより大きな開口が得られ、車椅子の通行や介助者の出入りを容易にするメリットがある（特許文献１参照）。
【先行技術文献】
【特許文献】
【０００３】
【特許文献１】実用新案登録第３１８２８９４号公報
【発明の概要】
【発明が解決しようとする課題】
【０００４】
Ｌ型建具の閉止状態は、第一の扉体と第二の扉体の先端部同士が当接することによって得られるが、引戸が上吊りされる上枠の施工精度が悪いために引戸が歪んで取り付けられると、閉止状態において扉体の先端部の間に隙間が生じ、明かりが漏れる。長年の使用によって扉体が変形した場合も、同様の問題が生ずる。
【０００５】
よって、本発明が解決しようとする課題は、Ｌ型建具の閉止状態において扉体の間に隙間が生じても、明かり漏れが生じないようにすることである。
【課題を解決するための手段】
【０００６】
この課題を解決するため、本願の請求項１に係る発明は、上吊り引戸からなる第一の扉体とドアまたは上吊り引戸からなる第二の扉体とが閉止状態において平面視略Ｌ字形に設けられるＬ型建具において、閉止状態において第一の扉体と第二の扉体の先端部同士の間の隙間を隠蔽する隙間隠し手段が設けられ、該隙間隠し手段は、第二の扉体の、閉止状態において第一の扉体の先端部内側面から離れた位置または略当接する位置に、上下に延長して設けられる長尺の隙間隠し部材であることを特徴とする。
【０００７】
本願の請求項２に係る発明は、上吊り引戸からなる第一の扉体とドアからなる第二の扉体とが閉止状態において平面視略Ｌ字形に設けられるＬ型建具において、閉止状態において第一の扉体と第二の扉体の先端部同士の間の隙間を隠蔽する隙間隠し手段が設けられ、該隙間隠し手段は、第二の扉体の、閉止状態において第一の扉体の先端部内側面に略当接する位置に設けられる隙間隠し部材であり、第一の扉体が閉じ位置にあるときに第二の扉体の開閉を許容するために、該隙間隠し部材の第一の扉体の先端部内側面に略当接する側の側面が曲面状に形成されることを特徴とする。
【０００８】
本願の請求項３に係る発明は、上吊り引戸からなる第一の扉体とドアまたは上吊り引戸からなる第二の扉体とが閉止状態において平面視略Ｌ字形に設けられるＬ型建具において、閉止状態において第一の扉体と第二の扉体の先端部同士の間の隙間を隠蔽する隙間隠し手段が設けられ、該隙間隠し手段は、第二の扉体の先端部に取り付けられる内側面に凹部を有する隙間隠し部材であり、閉止状態において第一の扉体の先端部が該凹部内に嵌合されることを特徴とする。
【発明の効果】
【００１０】
本願発明によれば、Ｌ型建具の閉止状態において扉体の間に隙間が生じても、隙間隠し手段がこの隙間を隠蔽するので、明かり漏れを防ぐことができる。
【図面の簡単な説明】
【００１１】
【図１】本発明が適用されるＬ型建具の一例を閉止状態で示す斜視図である。
【図２】本発明の一実施形態によるＬ型建具を示す概略平面図である。
【図３】本発明の他の実施形態によるＬ型建具を示す概略平面図である。
【図４】本発明のさらに他の実施形態によるＬ型建具を示す概略平面図である。
【図５】本発明のさらに他の実施形態によるＬ型建具を示す概略平面図である。
【発明を実施するための最良の形態】
【００１２】
図１は、本発明が適用されるＬ型建具の一例を閉止状態で示す斜視図であり、上吊り引戸（第一の扉体）２とドア（第二の扉体）３とで構成されるＬ型建具１である。引戸２は上枠（図示せず）に吊り下げられた状態で、ドア３との間でＬ型建具１の閉止状態を形成する閉じ位置と、戸尻側木口面が縦枠４に接する開き位置との間で開閉自在である。また、ドア３は他方の縦枠５に丁番などの回転部材（図示せず）を介して、引戸２との間でＬ型建具１の閉止状態を形成する閉じ位置と、この位置から少なくともいずれか一方向に回転したときの開き位置との間で開閉自在である。Ｌ型建具１が閉止状態にあるとき、閉じ位置にある引戸２の先端面（戸先側木口面）２ａが、閉じ位置にあるドア３の先端部３ａの内側面３ｂに略当接する。図中の符号６は袖壁を示す。開閉操作用の取手やハンドルなどは図示省略されている。
【００１３】
従来技術に関連して既述したように、このようなＬ型建具１は、通常使用時はドア３を閉めたまま上吊り引戸２を開くことで、これらによって仕切られるブース内外への出入りを可能にすると共に、上吊り引戸２とドア３の両方を開くことによって大きな開口を得ることができるので、特に車椅子使用時や介助者による介助が必要な場合に便利である。上吊り引戸２を採用することによりバリアフリーとすることができるので、車椅子も支障なく走行可能である。ドア３は車椅子使用時など必要がある場合にのみ開くことができるようにすれば良いので、通常は閉じ位置を維持するように、その上端および／または下端に上枠／床面に対して係止するための手段（いわゆるフランス落としなど。図示せず）を設けても良い。
【００１４】
本発明によるＬ型建具１は、閉止状態において上吊り引戸２とドア３の先端部２ａ，３ａ同士の間の隙間７を隠蔽する隙間隠し手段８がドア３の先端近くの内側面３ｂに設けられることにより、隙間７からの明かり漏れを防止するように構成されており、該隙間隠し手段についての実施形態が図２〜図５に示されている。
【００１５】
図２に示す実施形態では、長尺棒状の隙間隠し部材８ａがドア３の先端近くの内側面３ｂに固着されている。隙間隠し部材８ａのドア内側面３ｂからの突出長さを、隙間７の幅より十分に大きい寸法とすることにより、隙間７からの明かり漏れを防ぐことができる。図示の例では、上吊り引戸２が図示の閉じ位置にあるときに、ドア３の開閉に支障を来さないように、上吊り引戸２の内側面２ｂから若干離れた位置に隙間隠し部材８ａが取り付けられている。隙間隠し部材８ａは、ドア３の上端から下端に至る単一の長尺部材とすることが好適であるが、上下方向に適宜間隔を置いて断続的に設けられる複数部材からなるものとしても良い。また、隙間隠し部材８ａの断面形状は必ずしも矩形状でなくても良く、隙間７を隠蔽することができるものであれば任意の断面形状を有するものとすることができる。隙間隠し部材８ａは木質材や合成樹脂などの任意の材質で形成され、単一材料で形成しても良いし、たとえば木質材からなる隙間隠し部材８ａに合成樹脂製のカバーを固定的または着脱可能に被着して用いても良い。
【００１６】
図３に示す実施形態では、隙間７の幅より十分に大きい突出長を有する長尺棒状の隙間隠し部材８ｂがドア３の先端近くの内側面３ｂに固着されている点では、図２に示す実施形態と同様であるが、図３の実施形態では、上吊り引戸２の内側面２ｂに略密接する位置に隙間隠し部材８ｂが取り付けられている点で相違している。このように隙間隠し部材８ｂが上吊り引戸２の内側面２ｂに略密接した位置にあると、上吊り引戸２が図示の閉じ位置にあるときに、ドア３の開閉に支障を来すことがあるので、これを未然に回避するために、隙間隠し部材８ｂの引戸内側面２ｂに近接する側の側面を曲面状に切り欠いて逃げ部９を形成している。隙間隠し部材８ｂについての連続／不連続の上下方向配置や材質などについては、図２に示す実施形態において隙間隠し部材８ａについて既述したと同様であるので、説明を省略する。なお、Ｌ型建具において第二の扉体にも上吊り引戸を用いた場合は、隙間隠し部材８ｂを第一の扉体である上吊り引戸２に密接させて取り付けても、閉じ位置にある上吊り引戸２に対して第二の扉体である上吊り引戸を開閉することについて支障を来すことにはならないので、この場合には、隙間隠し部材８ｂに曲面状の逃げ部９を形成する必要はなく、単なる矩形状断面の隙間隠し部材８ｂとして実施して良い。
【００１７】
図４に示す実施形態では、ドア３の先端部の内側面３ｂにしゃくり加工を施してドア３の上端から下端に至る凹部８ｃを形成し、閉止状態において上吊り引戸２の先端部を凹部８ｃに収めるようにしている。これにより、上吊り引戸２の先端面２ａと凹部８ｃの底面との間に隙間７が空いていても、引戸先端面２ａがドア内側面３ｂを超えた位置まで凹部８ｃ内に入り込んでいれば、既述の実施形態と同様に明かり漏れを防ぐ効果が得られる。
【００１８】
図５に示す実施形態では、内側面に凹部８ｄを有する断面略コ字形状の隙間隠し部材８ｅをドア３の先端部に固着し、閉止状態において上吊り引戸２の先端部を凹部８ｄに収めるようにしている。これにより、上吊り引戸２の先端面２ａと凹部８ｄの底面との間に隙間７が空いていても、引戸先端面２ａがドア内側面３ｂを超えた位置まで凹部８ｄ内に入り込んでいれば、既述の実施形態と同様に明かり漏れを防ぐ効果が得られる。隙間隠し部材８ｅについての連続／不連続の上下方向配置や材質などについては、図２に示す実施形態において隙間隠し部材８ａについて既述したと同様であるので、説明を省略する。
【００１９】
なお、図５に示す実施形態では、凹部８ｄを有する隙間隠し部材８ｅをドア３とは別部材として用意してこれをドア３の先端部に固着し、上吊り引戸２の先端部をこの凹部８ｄに収めるようにしているが、図４に示す実施形態と同様に、ドア３の先端部の内側面３ｂ自体に略コの字形状断面の凹部８ｄを形成しても良い。また、図４に示す実施形態では、ドア３の先端部の内側面３ｂ自体にしゃくり形状の凹部８ｃを形成してこの凹部８ｃに上吊り引戸２の先端部を収めるようにしているが、図５に示す実施形態と同様に、凹部８ｃを有する隙間隠し部材をドア３とは別部材として用意してこれをドア３の先端部に固着しても良い。
【符号の説明】
【００２０】
１  Ｌ型建具
２  上吊り引戸
２ａ  先端面（先端部）
２ｂ  内側面
３  ドア
３ａ  先端部
３ｂ  内側面
４，５  縦枠
６  袖壁
７  隙間
８  隙間隠し手段
８ａ  隙間隠し部材
８ｂ  隙間隠し部材
８ｃ  凹部
８ｄ  凹部
８ｅ  隙間隠し部材
【図１】
0006632244.tif 000002
【図２】
0006632244.tif 000003
【図３】
0006632244.tif 000004
【図４】
0006632244.tif 000005
【図５】
0006632244.tif 000006